(57)【要約】【課題】本発明は、産業廃棄物のうち、ガラス及び陶磁器屑、金属屑、廃プラスチック類、建設廃材、ゴム屑、フライアッシュなどを濾過装置として利用できる安定型最終処分場を提供する。【解決手段】本発明の安定型最終処分場は、地形の凹所や地盤を掘削することにより形成された凹所１を構築し、該凹所１に粒径１．０ｍｍ以下の軽石からなる軽石層２を設置した後、ガラス及び陶磁器屑、金属屑、廃プラスチック類、建設廃材、ゴム屑、フライアッシュなどを１．０ｃｍ程度に粉砕した産業廃棄物と粒径１．０ｃｍ程度の軽石とを混合した混合物層３が形成され、さらに前記混合物層３の上に、粒径１．０ｃｍ程度の軽石からなる軽石層４を設置し、次いでその上に前記混合物層３を形成し、最終被覆として粒径３．０ｃｍ程度の軽石からなる軽石層５を形成したものである。【選択図】図１
2011050854.tif 000002
【特許請求の範囲】
【請求項１】
地形の凹所や地盤を掘削することにより形成された凹所を構築し、該凹所に粒径１．０ｍｍ以下の軽石からなる軽石層を設置した後、ガラス及び陶磁器屑、金属屑、廃プラスチック類、建設廃材、ゴム屑、フライアッシュなどを１．０ｃｍ程度に粉砕した産業廃棄物と粒径１．０ｃｍ程度の軽石とを混合した混合物層が形成され、さらに前記混合物層の上に、粒径１．０ｃｍ程度の軽石からなる軽石層を設置し、次いでその上に前記混合物層を形成し、最終被覆として粒径３．０ｃｍ程度の軽石からなる軽石層を形成したことを特徴とする安定型最終処分場。
【発明の詳細な説明】
【技術分野】
【０００１】
本発明は、産業廃棄物のうち、ガラス及び陶磁器屑、金属屑、廃プラスチック類、建設廃材、ゴム屑、フライアッシュなどを濾過装置として利用できる安定型最終処分場に関する。
【背景技術】
【０００２】
最終処分場において、埋め立て廃棄物の安定化を阻害しない被覆材、及び該被覆材を備え、雨水を適切に集排水するとともに、雨水を廃棄物に浸透させて、廃棄物の安全及び安定を促進させる集排水システムが知られている（特許文献１を参照）。
この公知技術は、廃棄物処分場の廃棄物が投棄される遮水構造内に降雨した雨水を集排水するための集排水システムであって、廃棄物層上に設置される礫からなり、上面に勾配が設けられた礫層と、該礫層上に設置される平均粒径０．２ｍｍ〜０．３５ｍｍの範囲内の砂からなる砂層とを含む前記廃棄物層を被覆する被覆材と、前記礫層の上面の最低部から下方に延び、前記遮水構造外へと排水するための排水管とを含み、前記砂は、１５質量％の砂が通過するふるいの目の大きさから得られる砂の粒径（Ｄ１５）と８５質量％の砂が通過するふるいの目の大きさから得られる砂の粒径（Ｄ８５）との比が、１：１〜１：３の範囲内である集排水システムである。
【先行技術文献】
【特許文献】
【０００３】
【特許文献１】特開２００７−３８１７４号公報
【発明の概要】
【発明が解決しようとする課題】
【０００４】
本発明は、産業廃棄物のうち、ガラス及び陶磁器屑、金属屑、廃プラスチック類、建設廃材、ゴム屑、フライアッシュなどを濾過装置として利用できる安定型最終処分場を提供することを目的とする。
【課題を解決するための手段】
【０００５】
本発明の安定型最終処分場は、地形の凹所や地盤を掘削することにより形成された凹所を構築し、該凹所に粒径１．０ｍｍ以下の軽石からなる軽石層を設置した後、ガラス及び陶磁器屑、金属屑、廃プラスチック類、建設廃材、ゴム屑、フライアッシュなどを１．０ｃｍ程度に粉砕した産業廃棄物と粒径１．０ｃｍ程度の軽石とを混合した混合物層が形成され、さらに前記混合物層の上に、粒径１．０ｃｍ程度の軽石からなる軽石層を設置し、次いでその上に前記混合物層を形成し、最終被覆として粒径３．０ｃｍ程度の軽石からなる軽石層を形成したものである。
【発明の効果】
【０００６】
本発明の安定型最終処分場は、地形の凹所や地盤を掘削することにより形成された凹所を構築し、該凹所に粒径１．０ｍｍ以下の軽石からなる軽石層を設置した後、ガラス及び陶磁器屑、金属屑、廃プラスチック類、建設廃材、ゴム屑、フライアッシュなどを１．０ｃｍ程度に粉砕した産業廃棄物と粒径１．０ｃｍ程度の軽石とを混合した混合物層が形成され、さらに前記混合物層の上に、粒径１．０ｃｍ程度の軽石からなる軽石層を設置し、次いでその上に前記混合物層を形成し、最終被覆として粒径３．０ｃｍ程度の軽石からなる軽石層を形成したため、有機汚泥から発する臭気の除去、有機物の分解等を自然の力で促進し、環境に優しい濾過装置として利用できる最終処分場を設計することができる。
【図面の簡単な説明】
【０００７】
【図１】本発明の安定型最終処分場を示す断面図である。
【図２】本発明の安定型最終処分場のモデル実験装置の断面図である。
【図３】濾過実験結果のグラフ図である。
【発明を実施するための形態】
【０００８】
本発明の安定型最終処分場の一実施例を添付図面に基づいて、以下に説明する。
図１に示すように、本発明の安定型最終処分場は、地形の凹所や地盤を掘削することにより形成された凹所１を構築し、該凹所１に粒径１．０ｍｍ以下の軽石からなる軽石層２を設置した後、ガラス及び陶磁器屑、金属屑、廃プラスチック類、建設廃材、ゴム屑、フライアッシュなどを１．０ｃｍ程度に粉砕した産業廃棄物と粒径１．０ｃｍ程度の軽石とを混合した混合物層３が形成され、さらに前記混合物層３の上に、粒径１．０ｃｍ程度の軽石からなる軽石層４を設置し、次いでその上に前記混合物層３を形成し、最終被覆として粒径３．０ｃｍ程度の軽石からなる軽石層５を形成したものである。
【０００９】
本発明の安定型最終処分場のモデル実験装置を図２の断面図に示す。
図２に示すように、濾過容器に底部から順に粒径１．０ｍｍ以下の軽石からなる軽石層、ガラス及び陶磁器屑、金属屑、廃プラスチック類、建設廃材、ゴム屑、フライアッシュなどを１．０ｃｍ程度に粉砕した産業廃棄物と粒径１．０ｃｍ程度の軽石とを混合した混合物層、粒径１．０ｃｍ程度の軽石からなる軽石層、ラス及び陶磁器屑、金属屑、廃プラスチック類、建設廃材、ゴム屑、フライアッシュなどを１．０ｃｍ程度に粉砕した産業廃棄物と粒径１．０ｃｍ程度の軽石とを混合した混合物層、粒径３．０ｃｍ程度の軽石からなる軽石層を形成したものである。
【実施例１】
【００１０】
次に、本発明の安定型最終処分場の実験装置の試験条件を示す。
但し、本発明はこれらの例によって何ら制限されるものでない。
【００１１】
（濾過装置作成）
産業廃棄物の安定５品目（ガラス及び陶磁器屑、金属屑、廃プラスチック類、建設廃材、ゴム屑）のうち金属屑を除く４品目を大きさ約１．０ｃｍ程度に粉砕する。金属屑は粉砕できなかったため、本濾過装置作成から除いた。
【００１２】
上記、粉砕した４品目（ガラス及び陶磁器屑、廃プラスチック類、建設廃材、ゴム屑）と粒径１．０ｍｍ以下、１．０ｃｍ程度、３．０ｃｍ程度の３種類の軽石を濾過容器（直径：約５．５ｃｍ、高さ：約１５．０ｃｍ）内に積層させる。
【００１３】
図２にモデル実験装置としての濾過装置を示す。
濾過容器の一番底に粒径１．０ｍｍ以下の軽石を敷き詰め（３．０ｃｍ程度）、その上に粉砕した４品目と粒径１．０ｃｍ程度の軽石の混合物（高さ：３．０ｃｍ程度）、その上に粒径１．０ｃｍ程度の軽石（高さ：３．０ｃｍ程度）、その上にさらに粉砕した４品目と粒径１．０ｃｍ程度の軽石の混合物（高さ：３．０ｃｍ程度）、一番上に粒径３．０ｃｍ程度の軽石を積層させる。
【００１４】
（濾過実験）
上記作成した濾過装置を用いて、濾過実験を実施した。
色素水溶液としてメチルオレンジを用い、濃度５×１０-4ｍｏｌ／Ｌを用いた。色素水溶液１Ｌを濾過装置上部より流し、濾過装置通過前と濾過装置下部より流れ出る水溶液のメチルオレンジ濃度を紫外可視分光光度計により吸光度を測定した。
また、吸光度測定のため色素数溶液を２０倍に希釈した。
【００１５】
濾過装置通過前後では若干の吸光度の現象が観察された。また、濾過装置中の軽石にメチルオレンジの着色も確認された。これは水溶液中のメチルオレンジが軽石に吸着されたために、メチルオレンジの濃度が減少したことを示している。
軽石の量や粒径及び廃棄物の量などの最適な条件を検討することにより、濾過の効率が向上することは可能であり、安定５品目を用いる濾過装置は水質浄化に有効であることが示唆された。
【符号の説明】
【００１６】
１  凹所
２  軽石層
３  混合物層
４  軽石層
５  軽石層
【図１】
2011050854.tif 000003
【図２】
2011050854.tif 000004
【図３】
2011050854.tif 000005